(57)【特許請求の範囲】
【請求項１】
除糠網に精白ロールを貫入させて成る精白室と、該精白室に玄米を導入するための玄米落とし口を備えた玄米ホッパと、石抜き装置と、該石抜き装置から排出される玄米を揚穀して前記玄米ホッパ内へ投入する揚穀コンベアと、前記除糠網から糠を吸引して排送する糠吸引ファンと、該糠吸引ファンからの糠混入空気中の糠を分離して回収する糠回収手段とを有する精米機において、
前記糠吸引ファンからの糠混入空気の一部を導入して糠を分離し後、分離された糠を前記玄米ホッパの前記玄米落とし口に向けて近接距離から落下せしめる糠まぶし手段と、前記糠まぶし手段の糠落下口と前記玄米落とし口との間には糠のまぶし範囲を限定するための糠拡散障壁とを有し、前記糠拡散障壁は、前記玄米の投入側が開いている開ループ筒状板であることを特徴とする精米機。
【発明の詳細な説明】
【０００１】
【発明の属する技術分野】
本発明は、小型精米機に関し、特に、糠変成物質の精白ロールへの付着を抑制できる糠立て技術に関する。
【０００２】
【従来の技術】
コインの投入によりモータが所定時間駆動して投入された玄米を精白するコインタイマー付き精米機が知られている。このようなコインタイマー付き精米機の一例を、本出願人は既に実開平７−３１１３８を以って開示した。
【０００３】
図５は同公報に係るコインタイマー付き精米機を示す斜視図、図６は同精米機の正面図、図７は同精米機の左側面図、及び図８は同精米機の平面図である。
【０００４】
このコインタイマー付き精米機は、精米機本体１０と、載せ台２２付きの石抜き機２０と、垂直スクリューコンベア（揚穀コンベア）３０と、樋ユニット４０とから大略構成されている。
【０００５】
精米機本体１０は周知の構造であり、外胴１１内下部に設けられた精白モータや精白部（図示せず）と外胴１１内上部に設けられた穀粒タンク１２を有している。外胴１１の前面には調圧ダイアル１３及び出口樋１４が設けられている。また外胴１１の右側面側には糠回収用サイクロン１５が、外胴１１の左側面側にはコインタイマー部１６がそれぞれ設けられている。玄米タンク１２は玄米落とし口１７ａを有する玄米ホッパ１７と外胴１１とタンク開口蓋１８とで画成されており、タンク開口蓋１８の隅部に形成された差込み口１８ａには樋ユニット４０の玄米投入樋４２の出口部４２ａが挿入されている。
【０００６】
石抜き機２０は、折込み自在の脚部２２ａを有する載せ台２２と、この載せ台２２よりも高い位置まで覆った側板２４と、載せ台２２よりも低い位置に落とし口２６ａを有する玄米投入ホッパ２６と、落とし口２６ａの真下に斜向配置され、玄米中に混入した小石を除去するための揺動式選別板２７と、この選別板２７で分離された小石を排出する石抜き樋２８と、石抜き樋２８の経路を開閉する排出レバー２９とを有する。
【０００７】
垂直スクリューコンベア（揚穀コンベア）３０は、外筒３２内に挿入されたスクリューシャフト３４と、これを駆動するスクリューモータ３６と、スクリューシャフト３４の下部入口において選別板２７の落とし口２７ａから落下する玄米を貯めるスクリューホッパ（玄米貯め部）３８とを有している。樋ユニット４０は、スクリューコンベア３０の上部出口部３０ａとタンク開口蓋１８の口１８ａとの間に設けられている。樋ユニット４０は玄米投入樋４２と玄米戻し樋４４とからなる。玄米投入樋４２はスクリューコンベア３０の上部出口部３０ａに連通する上部樋４２ｂと、これに段差空間４２ｄを開けてタンク開口蓋１８の口１８ａに連通する下部樋４２ｃとから構成されている。玄米戻し樋４４は段差空間４２ｄに臨む入口と玄米投入ホッパ２６に臨む出口とを有している。
【０００８】
精米機利用者が玄米袋を載せ台２２に置き、その袋口を開いて玄米を石抜き機２０の玄米投入ホッパ２６内に投入し、所定枚数のコイン（例えば１００円硬貨）をコインタイマー部１６の投入口１６ａに投入すると、精白モータ（図示せず）及びスクリューモータ３６が所定時間（例えば１コイン３分間）だけ回転する。これらモータの起動によってホッパ２６の落とし口２６ａから揺動式選別板２７上に落下した玄米は落とし口２７ａを介してスクリューホッパ３８内へ流れ落ちると共に、玄米内の小石は玄米の流れとは逆方向に持ち上げられる。スクリューホッパ３８内の玄米はスクリューコンベア３０によって外筒３２内を上昇搬送され、出口部３０ａから上部樋４２ｂ及び下部樋４２ｃを介して玄米タンク１２内に落下し、その玄米落とし口１７ａの下部の精白部にて精米され、前面の出口樋１４から白米が排出される。
【０００９】
【発明が解決しようとする課題】
しかしながら、上記の精米機にあっては、次のような問題点があった。
【００１０】
玄米落とし口１７ａから精白室内に導入された玄米は精白ロール（精白スクリュー）により精白されるものであるが、精白ロールの表面には搗精時に発生する摩擦熱等と長期間に亘る繰り返し稼動により糠変成物質が自然と付着し、精白性能を次第に悪化させることが知られている。一旦、糠変成物質が精白ロールに硬く被覆してしまうと、精白室を分解して、精白ロールを抜き出し表面に固化した糠変成物質層を削ぎ落とさねばならず、メンテナンスに相当の手間を要していた。特に、上記のコイン精米機のような無人機にあっては、精白性能が悪化すると、所望の精白度を得るためには稼動時間を延ばす必要があることから、必然的に投入コイン数も増えるため、苦情の原因となり易い。
【００１１】
ところで、糠変成物質の付着を防止する方法として、特開平８−２０４号に見られるように、予め、精白すべき玄米に少量の糠（０．１％程度）を混入しておくことにより、精白ロールへの糠の付着を防止できることが知られており、例えば、揚穀コンベアの上部にヤスリ部を設けて揚穀玄米から糠を一部剥離し、揚穀玄米を玄米ホッパに投入する際に糠を混入させる方法が採用されている。
【００１２】
しかしながら、玄米から一旦分離した少量の糠を玄米ホッパ内に向け玄米と同時に投入しても、糠は浮遊性ないし飛散性があることから、糠は玄米ホッパ内の空間に分散し、精白室内に送り込むべき玄米には効果的な糠混入が起こらず、精白ロールの表面には糠変成物質が付着してしまうものであった。
【００１３】
そこで、上記問題点に鑑み、本発明の課題は、精白室内に送り込むべき玄米に糠を確実に混入させることにより、精白ロール表面の糠変成物質の付着を抑制できる精米機を提供することにある。
【００１４】
【課題を解決するための手段】
上記課題を解決するため、本発明は、除糠網に精白ロールを貫入させて成る精白室と、該精白室に玄米を導入するための玄米落とし口を備えた玄米ホッパと、前記除糠網から糠を吸引して排送する糠吸引ファンと、該糠吸引ファンからの糠混入空中の糠を分離して回収するための糠回収手段とを有する精米機において、前記糠吸引ファンからの糠混入空気の一部を導入して糠を分離し、分離された糠を前記玄米ホッパの前記玄米落とし口に向けて近接距離から落下せしめる糠まぶし手段を有することを特徴とする。
【００１５】
搗精を開始すると、玄米落とし口から精白室内へ導入された玄米は精白されるため、剥離された糠は除糠網から糠吸引ファンによって糠回収手段へ排送されることになるが、その途中で糠混入空気の一部を導入した糠まぶし手段が予め糠混入空気中から糠を分離し、分離された糠を玄米落とし口に向けて近接距離から落下せしめるため、降下糠密度は比較的密であるので、穀粒ホッパ内での放散性が弱く、しかも玄米落とし口にダイレクトに降り注ぎ、更に降り注ぐ糠は玄米落とし口に落ち込む玄米流に瞬時に巻き込まれるので、精白室内には糠混入玄米が確実に導入される。このため、精白ロールの表面には糠変成物質が付着し難くなり、精白性能の持続を確保することができ、メンテナンスの容易化に資する。
【００１６】
糠まぶし手段の糠落下口と玄米落とし口との間には糠のまぶし範囲を限定するための糠拡散障壁を設けることが望ましい。玄米を逐次投入する場合、その投入に伴なう気流の影響による糠降下途中での放散を極力抑制でき、糠の玄米混入を確実化できる。
【００１７】
糠まぶし手段としては、糠吸引ファンより糠回収手段へ糠混入空気を排送するための主路から分岐した帰還路としての分岐路と、当該分岐路により空送される糠混入空気中の糠を分離して下方へ落とすための糠立て用サイクロンとからなる構成を採用できる。糠回収用のサイクロンとは別の小型サイクロンを用いることにより、糠混入空気の圧空を上部開口で圧力抜きしながら、下降旋回流により糠落下口から分離した糠を比較的高密度で自由落下させることができ、玄米落とし口に落ち込む玄米に対して効果的に糠を巻き込み混入させることができる。
【００１８】
また、上記主路と分岐路との分岐部分には糠混入空気の分岐流量を調節するための分岐流量調節手段を設けることが望ましい。分岐流量の調節により糠混入率の最適化を図ることができる。
【００１９】
上記精米機の構成の外に、石抜き装置と、この石抜き装置から排出される玄米を揚穀して玄米ホッパの玄米落とし口の近傍に向けて玄米を投入する揚穀コンベアとを備えた精米機にあっても、糠吸引ファンからの糠混入空気の一部を導入して糠を分離し、分離された糠を玄米ホッパの玄米落とし口に向けて近接距離から落下せしめる糠まぶし手段と、糠まぶし手段の糠落下口と玄米落とし口との間には糠のまぶし範囲を限定するための糠拡散障壁とを設けることが望ましい。特に、糠拡散障壁は、玄米の投入側が開いている開ループ筒状板であることが望ましい。筒状板の開いている側には投入玄米が通過し、玄米が筒状板の内面に当たり得るため、筒状板の内面に付着堆積する糠を当て落とすことができ、筒状板の糠除去の手間を省くことができる。
【００２０】
【発明の実施の形態】
次に本発明の実施形態を添付図面に基づいて説明する。
【００２１】
図１は本発明の一実施形態に係る精米機を示す一部破断正面図、図２は同精米機の平面図、図３は同精米機の蓋を取り外した状態を示す斜視図、図４は同精米機に用いる分岐管を示す一部破断正面図である。なお、図１乃至図４において、図５乃至図８に示す部分と同一部分には参照符号を付し、その説明を省略する。
【００２２】
本例の精米機は、全体構成としては図５乃至図８に示すコインタイマー付き精米機であって、石抜き機２０及び揚穀コンベア３０を具備している。精米機本体１０は、外胴１１内下部に設けられた精白モータや精白部１と外胴１１内上部に設けられた玄米ホッパ１７を有している。精白部１は筒状除糠網２に精白ロール（精白スクリュー）３を貫入させて成り、筒状除糠網２からガイド枠４を介して糠を吸引して排送する糠吸引ファン５と、糠吸引ファン５から主管６を介して排出される糠混入空気中の糠を分離し、糠箱（図示せず）に糠を回収するための糠回収用サイクロン１５を外胴１１の外に設けてある。主管６の途中からは分岐管７が分岐しており、その分岐部分には図４に示すような分岐管接手８が用いられている。分岐管接手８の分岐部分には、管内壁面に一端をボルトＡ１とナットＡ２で固定した弾力可撓性の邪魔板Ｃと、管内壁面に固定したナットＢ２に螺着し、邪魔板Ｃに先端が当接してその屈曲度を可変するための押し当てボルトＢ１とから成る分岐流量調節機構９が設けられている。
【００２３】
玄米ホッパ１７はタンク開口蓋１８で閉蓋されており、タンク開口蓋１８には樋ユニット４０の出口が差し込まれていると共に、タンク開口蓋１８は糠立ち用の小型サイクロン６０を支持している。この小型サイクロン６０は、分岐管７に接続した上部内筒６１と、下向きの切頭テーパ状外筒６２とを有し、玄米落とし口１７ａの真上位置に設けられている。切頭テーパ状外筒６２の糠落下口６２ａは玄米ホッパ１７内に位置し、玄米落とし口１７ａに対し近距離位置にある。糠落下口６２ａと玄米落とし口１７ａとの間には糠のまぶし範囲を限定するための糠拡散障壁板７０が設けられている。この糠拡散障壁板７０は小型サイクロン６０の外筒６２にねじ止めされており、樋ユニット４０から投入される玄米の投入側が開いている開ループ筒状板である。なお、糠拡散障壁板７０の位置及び姿勢を変更させるための取付け調節機構を設けても良い。
【００２４】
精米機利用者が玄米袋を載せ台２２に置き、その袋口を開いて玄米を石抜き機２０の玄米投入ホッパ２６内に投入し、所定枚数のコインをコインタイマー部の投入口に投入すると、精白モータ（図示せず）及びスクリューモータ３６が所定時間だけ回転する。これらモータの起動によってホッパ２６の落とし口２６ａから揺動式選別板上に落下した玄米はスクリューホッパ内へ流れ落ちると共に、玄米内の小石は玄米の流れとは逆方向に持ち上げられる。スクリューホッパ内の玄米は揚穀コンベア３０によって上昇搬送され、樋ユニット４０を介して玄米ホッパ１７内へ投入され、その玄米落とし口１７ａの下部の精白室１にて精米され、前面の出口樋から白米が排出される。
【００２５】
搗精中では、剥離された糠は筒状除糠網２から糠吸引ファン５によって主管６を介して糠回収用のサイクロン１５へ排送されることになるが、その途中の分岐管接手８で糠混入空気の一部が分岐管７へ導入されることにより、糠立ち用の小型サイクロン６０へ空送される。小型サイクロン６０は糠混入空気中から圧空を上方開口に逃がすと共に、下降旋回流により糠を分離落下させる。糠落下口６２ａから落下する降下糠密度は比較的密であり、落下距離も短いので、穀粒ホッパ１７内での放散性が弱く、しかも玄米落とし口１７にダイレクトに降り注ぎ、更に降り注ぐ糠は玄米落とし口１７に落ち込む玄米流に瞬時に巻き込まれるので、精白室１内には糠混入玄米が確実に導入される。このため、精白ロール３の表面には糠変成物質が付着し難くなり、精白性能の持続を確保することができ、メンテナンスの容易化に資する。
【００２６】
落下途中の糠は糠拡散障壁板７の内側で落下し、糠の拡散が抑制されていると共に、樋ユニット４０から投入される玄米流に伴なう気流の影響による糠放散を極力抑制でき、糠の玄米混入を確実化できる。
【００２７】
特に、糠拡散障壁板７０は玄米投入側が開いているので、玄米が障壁板７０の内面に当たり得るため、障壁板７０の内面に付着堆積する糠を当て落とすことができ、障壁板７０の糠除去の手間を省くことができる。
【００２８】
また、分岐管接手８には分岐流量調節機構９が設けられているため、押し当てボルトＢ１の押し出し量を加減して弁体としての邪魔板９の屈曲度を可変することにより、糠混入空気の分岐流量を調節でき、糠混入率の最適化を図ることができる。
【００２９】
なお、上記の糠立て用の小型サイクロン６０はコイン精米機に限らず、石抜き機や揚穀コンベアを具備しない精米機にも適用できるものである。
【００３０】
【発明の効果】
以上説明したように、本発明に係る精米機は、糠が混入した玄米を玄米ホッパに投入するのではなく、精白室から排送される糠混入空気の一部から糠を予め分離し、その分離された糠を玄米ホッパの玄米落とし口に落ち込む玄米に対し近距離からまぶすことを特徴としているため、次のような効果を奏する。
【００３１】
予め糠混入空気中から糠を分離し、分離された糠を玄米落とし口に向けて近接距離から落下させるため、降下糠密度は比較的密であるので、玄米ホッパ内での放散性が弱く、しかも玄米落とし口にダイレクトに降り注ぎ、更に降り注ぐ糠は玄米落とし口に落ち込む玄米流に瞬時に巻き込まれるので、精白室内には糠混入玄米が確実に導入される。このため、精白ロールの表面には糠変成物質が付着し難くなり、精白性能の持続を確保することができ、メンテナンスの容易化に資する。
【００３２】
糠まぶし手段の糠落下口と穀粒落とし口との間には糠のまぶし範囲を限定するための糠拡散障壁を設けてあるので、特に玄米を逐次投入するときは、その投入に伴なう気流の影響による糠降下途中での放散を極力抑制でき、糠の玄米混入を確実化できる。
【００３３】
糠拡散障壁が玄米の投入側が開いている開ループ筒状板であるため、筒状板の開いている側には投入玄米が通過し、玄米が筒状板の内面に当たり得るので、筒状板の内面に付着堆積する糠を当て落とすことができ、筒状板の糠除去の手間を省くことができる。
【図面の簡単な説明】
【図１】本発明の一実施形態に係る精米機を示す一部破断正面図である。
【図２】同精米機の平面図である。
【図３】同精米機の蓋を取り外した状態を示す斜視図である。
【図４】同精米機に用いる分岐管を示す一部破断正面図である。
【図５】従来のコインタイマー付き精米機を示す斜視図である。
【図６】同従来例に係る精米機の正面図である。
【図７】同従来例に係る精米機の左側面図である。
【図８】同従来例に係る精米機の平面図である。
【符号の説明】
１…精白部
２…筒状除糠網
３…精白ロール（精白スクリュー）
４…ガイド枠
５…糠吸引ファン
６…主管
７…分岐管
８…分岐管接手
９…分岐流量調節機構
１０…精米機本体
１１…外胴
１２…穀粒タンク
１３…調圧ダイアル
１４…出口樋
１５…糠回収用サイクロン
１６…コインタイマー部
１７…玄米ホッパ
１７ａ…玄米落とし口
１８…タンク開口蓋
１８ａ…差込み口
２０…石抜き機
２２…載せ台
２２ａ…折込み自在の脚部
２４…側板
２６…玄米投入ホッパ
２６ａ…落とし口
２７…揺動式選別板
２７ａ…落とし口
２８…石抜き樋
２９…排出レバー
３０…垂直スクリューコンベア（揚穀コンベア）
３０ａ…上部出口部
３２…外筒
３４…スクリューシャフト
３６…スクリューモータ
３８…スクリューホッパ（玄米貯め部）
４０…樋ユニット
４２…玄米投入樋
４２ａ…出口部
４２ｂ…上部樋
４２ｃ…下部樋
４２ｄ…段差空間
４４…玄米戻し樋
６０…糠立ち用の小型サイクロン
６１…上部内筒
６２…下向きの切頭テーパ状外筒
７０…糠拡散障壁板
Ａ１…ボルト
Ａ２，Ｂ２…ナット
Ｂ１…押し当てボルト
Ｃ…弾力可撓性の邪魔板
【図１】
0003629415.tif 000002
【図２】
0003629415.tif 000003
【図３】
0003629415.tif 000004
【図４】
0003629415.tif 000005
【図５】
0003629415.tif 000006
【図６】
0003629415.tif 000007
【図７】
0003629415.tif 000008
【図８】
0003629415.tif 000009